(57)【要約】  【課題】使用時には安定して使用でき、不使用時には用具を格納できる筆洗容器の提供。  【解決手段】本発明にかかる筆洗容器においては、開口部の形状および大きさがほぼ同じで、深さがほぼ等しい２つの有底容器を、互いの開口部を対向させて閉じた状態と、互いの開口部を並列させて開いた状態との、２つの状態に開閉可能に連結するとともに、閉じた状態の２つの有底容器が開かないように保持する保持手段を具備した。そして、開いた状態の２つの有底容器を吊り下げる把手を備え、把手の一端は一方の有底容器に連結され、他端は他方の有底容器に連結されている構成とした。【選択図】      図１
2005288782.tif 000002
【特許請求の範囲】
【請求項１】
開口部の形状および大きさがほぼ同じで、深さがほぼ等しい２つの有底容器を、互いの開口部を対向させて閉じた状態と、互いの開口部を並列させて開いた状態との、２つの状態に開閉可能に連結するとともに、閉じた状態の２つの有底容器が開かないように保持する保持手段を具備したことを特徴とする筆洗容器。
【請求項２】
開いた状態の２つの有底容器を吊り下げる把手を備えたことを特徴とする請求項１に記載の筆洗容器。
【請求項３】
把手の一端は一方の有底容器に連結され、他端は他方の有底容器に連結されていることを特徴とする請求項２に記載の筆洗容器。
【発明の詳細な説明】
【技術分野】
【０００１】
本発明は、筆に付いた絵の具等を洗い落とすために用いる筆洗容器に関するものである。
【背景技術】
【０００２】
従来の基本的な筆洗容器は、有底容器に把手が設けられているものであるが、近年、折り畳み式の筆洗容器（例えば、特許文献１参照）や複数の部分に分割された筆洗容器が提案されている。
【０００３】
【特許文献１】特開２００２−１２８０９６号公報
【発明の開示】
【発明が解決しようとする課題】
【０００４】
ところが、上述したような従来の折り畳み式の筆洗容器は、確かに不使用時には折り畳んで小さくできるが、軟質合成樹脂製であるため、使用時には不安定であるという問題があるとともに、他の用具を収納できないので不便であった。
【０００５】
そこで、本発明は、使用時には安定して使用でき、不使用時には用具を格納できる筆洗容器の提供を目的としてなされたものである。
【課題を解決するための手段】
【０００６】
本発明にかかる筆洗容器の請求項１においては、
開口部の形状および大きさがほぼ同じで、深さがほぼ等しい２つの有底容器を、互いの開口部を対向させて閉じた状態と、互いの開口部を並列させて開いた状態との、２つの状態に開閉可能に連結するとともに、閉じた状態の２つの有底容器が開かないように保持する保持手段を具備した。
請求項２では、
開いた状態の２つの有底容器を吊り下げる把手を備えた。
請求項３では、
把手の一端は一方の有底容器に連結され、他端は他方の有底容器に連結されている構成とした。
【発明の効果】
【０００７】
本発明にかかる筆洗容器の請求項１によれば、
開口部の形状および大きさがほぼ同じで、深さがほぼ等しい２つの有底容器を、互いの開口部を対向させて閉じた状態、もしくは互いの開口部を並列させて開いた状態の２つの状態に開閉可能に連結するとともに、閉じた状態の２つの有底容器が開かないように保持する保持手段を具備したので、不使用時には保持手段によって不用意に開くことを防止できる。従って、不使用時に、絵の具やパレット等の用具を収納しておくことができる。当然、使用時には、２つの容器が並列した状態になるので、使い勝手がよいという効果も得られる。
請求項２の筆洗容器によれば、
開いた状態の２つの有底容器を吊り下げる把手を備えたので、水を入れた状態で持ち運ぶことが容易にできるという効果が得られる。
請求項３の筆洗容器によれば、
把手の一端は一方の有底容器に連結され、他端は他方の有底容器に連結されている構成としたので、水を入れた状態で持ち運ぶときに、２つの有底容器のバランスが取れて、水をこぼしたりすることなく安定して持ち運ぶことができる。
【発明を実施するための最良の形態】
【０００８】
以下に、本発明にかかる筆洗容器を、その実施の形態を示した図面に基づいて詳細に説明する。
前記筆洗容器の斜視図を示した図１において、
１は筆洗容器であり、第１容器２と第２容器３と把手４とから構成されている。
第１容器の縁には筆を置くための凹部21が数カ所形されており、低部には筆の先を洗うための突起22が多数形成されている。前記２つの容器２、３はヒンジ部５で開閉可能に構成されている。開いた状態では図１に示したように２つの容器２、３が使用可能な状態となり、閉じた状態では図２、３に示したように、内部に用具を格納することが可能な状態となる。また、係止用突起23が形成されている。
【０００９】
第２容器の縁にも前記凹部21と同じ位置に筆を置くための凹部31が数カ所形成されており、内部は２個所の仕切り壁によって３つの部分に分けられている。各仕切り壁の上縁には筆の先を整えるための櫛状部材32が形成されている。また、前記第１容器の係止用突起23に係止するための係止片33が延設されている。
【００１０】
把手４は、軟質樹脂製のベルト状のものであり、一端は、第１容器２の壁面に形成された係止孔25に抜けないように止められており、他端は、第２容器３の壁面に形成された係止孔（図示せず。）に抜けないように止められている。即ち、この把手４の両端は、２つの部分容器である、第１容器２と第２容器３とに跨がって係止されているので、持ち上げたときに、バランスが良い。
特に、両方の容器２、３に水を入れた状態で持ち運びする場合でも、安定良く持ち運びで切るので、水をこぼしたりすることを防止できる。
【００１１】
図２は、前記第１容器２に、前記第２容器を被せた状態の斜視図である。この図２において、第１容器２の係止用突起23に、第２容器３の係止片33を嵌めて係止すると、２つの容器２、３は容易には開かないので、格納や持ち運びに適している。
このように閉じた状態では、前記凹部21と凹部31とが同じ位置に向かい合うため、通気口を形成する。従って、内部に濡れたままの筆やパレット等の用具を収納した場合に換気を促すので、良く乾くという効果が得られる。
【００１２】
図３は、図１に示したような開いた状態から、図２に示したような閉じた状態へ移行する途中の状態を示した側面断面図である。この図３において、前述したように、第１容器２の底面には突起22が多数形成されており、筆の先を押しつけたりして確実に絵の具等を洗い落とすことができる。また、二点鎖線で示したように、絵の具やパレット等の用具を格納することができる。そして、縁には折り返し部24が形成されており、優れた美観を呈するとともに、筆を置くための凹部21が形成されている。また、折り返し部24の一部には係止用突起23が形成されている。
【００１３】
前述したように、第２容器３には櫛状部材32が形成されているので、洗い終わった筆の先をしごいて整えることができる。そして、縁には折り返し部34が形成されており、優れた美観を呈するとともに、筆を置くための凹部31が形成されている。また、折り返し部34の一部には前記係止用突起23に嵌めるための係止片33が延設されている。この係止片33に形成された孔に前記係止用突起23を嵌めて、第１容器２と第２容器３とが容易に開かないように係止するように構成されている。
【００１４】
前述したように、把手４の一端は第１容器２に設けられた係止孔25に差し込んだ状態で抜けないように止められている。即ち、一端を前記係止孔25に差し込むと、先が広がって抜け止めが形成されるのである。これは、図示しない他端も同様の構成になっている。
前記把手４の長さは、図示したものより短くしてもよい。短くすると、筆洗として使用する場合や閉じる場合に邪魔になりにくい。
【実施例１】
【００１５】
この実施例においては、図１、３に示したように、把手４はベルト状のものとしたが、収納時に邪魔にならなければ、コ字状の成形体としてもよい。何れにしても、２つの容器に跨がってその両端が係止されているので、水を入れて持ち運ぶときのバランスがよいのである。
そして、２つの有底容器を閉じる場合や、筆洗いとして使用する場合に、把手が長くて邪魔になる場合には、軟質の樹脂製であるため、曲げたり、前記係止孔25に差し込んで邪魔にならないようにすることができる。
また、この筆洗容器１は全体的に半透明の樹脂で成形したり、透明な樹脂で成形してもよい。
そして、図２の状態で把手を備え、格納した状態で持ち運びを容易にしてもよい。
【図面の簡単な説明】
【００１６】
【図１】本発明にかかる筆洗容器の実施の形態の開いた除隊の斜視図である。
【図２】前記筆洗容器の閉じた状態の斜視図である。
【図３】前記筆洗容器の側面断面図である。
【符号の説明】
【００１７】
１  筆洗容器
２  第１容器
３  第２容器
４  把手
５  ヒンジ部
【図１】
2005288782.tif 000003
【図２】
2005288782.tif 000004
【図３】
2005288782.tif 000005